(57)【特許請求の範囲】
【請求項１】
器体内部から器体外部に引出される信号引出し線を介して、器体外部に信号を伝達することが可能な回路遮断器であって、
該回路遮断器の器体が、回路遮断器の幅方向両側から第一のケース及び第二のケースを重ね合わせて構成されるとともに、
一方のケースにおいて、他方のケースとの重ね合わせ面側から自ケースの側壁面に達するスリットが形成され、
該スリットから前記信号引出し線を器体外部に引出して構成したことを特徴とする回路遮断器。
【請求項２】
前記信号引出し線の前記スリットからの引出し位置が、
前記器体の幅方向中央部から側壁面側に偏った位置に形成されたことを特徴とする請求項１記載の回路遮断器。
【請求項３】
前記第一のケース及び第二のケースを重ね合わせるときに、
前記スリットに嵌合するとともに、
前記信号引出し線を前記スリットの側壁面側に偏った位置に配置せしめるガイド部が、
前記他方のケースに設けられたことを特徴とする請求項２記載の回路遮断器。
【請求項４】
前記第一のケース及び第二のケースを重ね合わせるときに、
前記スリットに嵌合するとともに、
前記信号引出し線を前記スリットの側壁面側に偏った位置に配置せしめるガイド部が、
前記一方のケース及び他方のケースの間に重ね合わせられて配置され前記器体の外郭の一部を構成する部品に形成されたことを特徴とする請求項２記載の回路遮断器。
【発明の詳細な説明】
【技術分野】
【０００１】
本発明は、分電盤に組み込まれる回路遮断器の器体内部から外部に信号線を引き出すための引出し構造に関する。
【背景技術】
【０００２】
近年、センサーや情報通信技術を活用して、住宅やビルなどにおいて使用される電気エネルギーを管理、制御するシステムが普及しつつある。使用される電気エネルギーを計測するために、電気を受電し夫々の負荷回路に分電する役割を担う分電盤内に、電流を計測する機能を持たせた分電盤が種々開示されている。
【０００３】
例えば、特許文献１には、分電盤内に配置される主回路遮断器や分岐回路遮断器に流れる電流を検出するために、夫々の回路遮断器外部に変流器を備えた分電盤が開示されている。本特許文献１においては、回路遮断器に接続される電線にカレントトランスを貫通させて電流検出素子（ＣＴ）を設置し、電流検出素子からの信号線が分電盤内に導出される形態がとられている。
このような形態においては、分電盤内には分岐回路用遮断器（１１ｂ）が多数配設され、各分岐回路用遮断器（１１ｂ）からは多数の信号線（１３）が分電盤内に導出される。このため多数の信号線（１３）が分電盤内に渡り浮遊するから、外部モニタ等への信号線の誤配線が生じ易くなる点、特に、分電盤内には引き込み電線や各負荷側への電線（Ｃ）が浮遊している状態になって混雑しており、これらとの誤配線や、細い信号線の他の部品への挟み込み等が生じ易く、配線接続作業がし難くなっている点に鑑み、信号線（１３）の接続を容易かつ確実に行うことができる施工性に優れた分電盤（１）の提供を目的としている。具体的には、電流検出素子（１１ｂ）から出力端が導出される信号線の出力端を接続する端子台（１４）を備えて分電盤（１）を構成している。（図９）
【０００４】
また、ＣＴを回路遮断器外部ではなく、回路遮断器内部に配置したものとして、家全体の電気エネルギを計測して表示することができる宅内電気エネルギ計測システムが特許文献２に開示されている。本特許文献２においては、各分岐ブレーカ（７）内に、分岐回路を流れる電流を検出する分岐変流器（７５）が設けられ、該分岐変流器（７５）の検出信号が、外部引出口（７６）を介してブレーカ外部に引出され、リード線（７７）およびその先端に設けられたハーネス（７８）に導かれる構成となっている。（図１０）
【０００５】
また、ＣＴを回路遮断器外部ではなく、回路遮断器内部に配置したものとして構成された回路遮断器のＣＴ出力信号引き出し線収納構造が特許文献３に開示されている。本特許文献３においては、回路遮断器の器体内部に設けられたＣＴの出力信号引き出し線（１１０）を嵌め込む凹部（１０２１）を器体の側面側において前面側から底面側にかけて形成した構成となっている。（図１１）
【０００６】
分電盤内に配置される回路遮断器に流れる電流を検出するＣＴを備えた場合、特許文献１においては、信号線の接続を容易かつ確実に行うことができ施工性に優れる効果を奏する一方、ＣＴを回路遮断器外部に設けているため、ＣＴの信号線自体が外部に露出し、見た目の煩雑さを軽減することは難しい。また、特許文献２においては、回路遮断器のケースの側方に設けた孔からコネクタを備えたＣＴリード線を引き出す構造となっているため、回路遮断器の組立て時において、前記孔にＣＴリード線を通した状態でケースを組み付けるか、リード線を引き出した後でコネクタをリード線に取り付ける必要があるなど組立て時の作業性が煩雑になるおそれがある。また、分電盤内において回路遮断器を並設配置する場合には、回路遮断器同士の隙間をリード線を引き出すことができる程度に設けて間隔を開けて配置する必要が生じ（特許文献２の図３）分電盤の大きさが大きくなるおそれがある。また、特許文献３においては、回路遮断器の器体の幅方向中央部からＣＴ出力信号引き出し線を引き出して器体側面の収納部に向けて配線しているため、ＣＴ出力信号引き出し線が器体を併設させるときの妨げになることはないものの、器体の幅方向中央部から引き出されたＣＴ出力信号引き出し線が前方側に露出するため見栄えが損なわれるおそれがある。また、回路遮断器の前方側に被せられる分電盤のカバーによって、前記前方側に露出したＣＴ出力信号引き出し線を挟み込んでしまうおそれや、器体の幅方向中央部からＣＴ出力信号引き出し線を引き出しているため、回路遮断器の組立て時に器体を構成するケース間にＣＴ出力信号引き出し線を挟み込んでしまうおそれがあり組立て時の作業性が低下するおそれがある。このように、回路遮断器の器体内部から外部に信号線を引き出すような場合、器体を構成するケース同士で挟み込まれるおそれや、回路遮断器を収納する分電盤のカバーによって挟み込まれるおそれ、また、前方への露出による見栄えが低下するというおそれがあった。
【先行技術文献】
【特許文献】
【０００７】
【特許文献１】特開２０１０−５７２３８号公報（図１）
【特許文献２】特開２００１−１０３６２２号公報（図６）
【特許文献３】特開２０１２−７４３３６号公報（図１）
【発明の概要】
【発明が解決しようとする課題】
【０００８】
そこで、本発明は、上記課題に鑑みてなされたもので、回路遮断器の器体内部から外部に信号線を引き出す場合、器体を構成するケースや分電盤のカバーによる信号線の挟み込みがなく、組立て性が良い回路遮断器を提供すること、また、回路遮断器を分電盤への組み込んだ後も信号線の露出が少なく見栄えが良い回路遮断器を提供することを目的とする。
【課題を解決するための手段】
【０００９】
本発明に係る回路遮断器は、上述の課題を解決すべく構成されたもので、請求項１記載の回路遮断器は、器体内部から器体外部に引出される信号引出し線を介して、器体外部に信号を伝達することが可能な回路遮断器であって、該回路遮断器の器体が、回路遮断器の幅方向両側から第一のケース及び第二のケースを重ね合わせて構成されるとともに、一方のケースにおいて、他方のケースとの重ね合わせ面側から自ケースの側壁面に達するスリットが形成され、該スリットから前記信号引出し線を器体外部に引出して構成したことを特徴とするものである。
【００１０】
かかる構成によれば、一方のケースにおいて、他方のケースとの重ね合わせ面側から自ケースの側壁面に達するよう形成したスリットから前記信号引出し線を器体外部に引出して構成したから、該信号引出し線がスリットから引き出されることにより、外部に露出する部分が少なく、見栄えの煩雑さを軽減することができるとともに、分電盤のカバーによって挟み込まれることがなくなる。また、前記スリットが信号引出し線を配置するためのガイドの役割を果たし、組立て時にケース間に信号引出し線を挟み込まれることが無くなるため組立て時の作業性が向上する。
【００１１】
また、請求項２記載の発明は、前記信号引出し線の前記スリットからの引出し位置が、前記器体の幅方向中央部から側壁面側に偏った位置に形成されたものである。
【００１２】
請求項２記載の発明によれば、信号引出し線を器体の側壁面側に偏った位置から引き出すように構成したため、引き出す際に、信号引出し線がスリットの奥側に導かれ、組立時の作業性が向上するとともに、信号引出し線の挟み込みが無くなる回路遮断器を提供することができる。
【００１３】
また、請求項３記載の発明は、前記第一のケース及び第二のケースを重ね合わせるときに、前記スリットに嵌合するとともに、前記信号引出し線を前記スリットの側壁面側に偏った位置に配置せしめるガイド部が、前記他方のケースに設けられたことを特徴とするものである。
【００１４】
請求項３記載の発明によれば、スリットが形成されていない他方のケースに前記ガイド部が設けられたため、前記第一のケース及び第二のケースを重ね合わせるときに、スリット部に信号引出し線を配置しておけば、該ガイド部がスリットに嵌合していくと同時に信号引出し線をスリットの奥側に導くことにより、信号引出し線を側壁面側に配置せしめる。
【００１５】
また、請求項４記載の発明は、前記第一のケース及び第二のケースを重ね合わせるときに、
前記スリットに嵌合するとともに、前記信号引出し線を前記スリットの側壁面側に偏った位置に配置せしめるガイド部が、前記一方のケース及び他方のケースの間に重ね合わせられて配置され前記器体の外郭の一部を構成する部品に形成されたことを特徴とするものである。
【００１６】
請求項４の発明によれば、一方のケース及び他方のケースの間に重ね合わせられて配置され、
前記器体の外郭の一部を構成する部品に前記ガイド部が設けられたため、前記第一のケース及び第二のケースを重ね合わせるときに、スリット部に信号引出し線を配置しておけば、該ガイド部がスリットに嵌合していくと同時に信号引出し線をスリットの奥側に導くことにより、信号引出し線を側壁面側に配置せしめる。一方のケース及び他方のケースの間に、器体の外郭の一部を構成する部品を重ね合わせて配置する場合に有効である。
【発明の効果】
【００１７】
本発明によれば、回路遮断器のケースや分電盤のカバーによる信号引き出し線の挟み込みがなく、組立て性が良い回路遮断器を提供することができる。また、回路遮断器を分電盤への組み込んだ後も信号引き出し線の露出が少なく整然として見栄えが良い回路遮断器を提供することができる。
【図面の簡単な説明】
【００１８】
【図１】第１の実施形態を示す回路遮断器の負荷端子側からの斜視図を示す。
【図２】同実施形態に係るＣＴ出力信号引出し線を引き出した状態の斜視図を示す。
【図３】同実施形態に係る器体のケースを分解した状態の斜視図を示す。
【図４】同実施形態に係る器体のケースを分解した状態の斜視図を示す。
【図５】第２の実施形態を示す回路遮断器の器体のケースを分解した状態の斜視図を示す。
【図６】同実施形態に係る器体のケースを分解した状態の斜視図を示す。
【図７】本発明に係る回路遮断器を配置した分電盤の前方側からの斜視図を示す。
【図８】同分電盤の内部状態を表す斜視図を示す。
【図９】従来例における回路遮断器を示す。
【図１０】従来例における回路遮断器を示す。
【図１１】従来例における回路遮断器を示す。
【発明を実施するための形態】
【００１９】
次に本発明に係る回路遮断器の実施形態を図１乃至図８を用いて詳細に説明する。
【００２０】
（第１の実施形態）
第１の実施形態について図１乃至図４を用いて説明する。本発明の回路遮断器１は、分電盤の分岐回路遮断器として用いられる回路遮断器である。該回路遮断器１は、電源側と負荷側を結ぶ方向を長手方向とした場合に、該長手方向に分割された第一のケース１０１と第二のケース１０２とを幅方向両側から重ね合わせて、その外郭、即ち器体が構成される。回路遮断器１を構成する各部品は、これらの分割された第一のケース１０１及び第二のケース１０２に挟み込まれるように収納される。本実施形態では、信号引出し線として、変流器（ＣＴ）に接続されたＣＴ出力信号引出線を例として、該ＣＴ出力信号引出線を器体外部に引き出す形態を説明する。
【００２１】
以降、長手方向において、図中１０５及び１０６で示された電線挿入孔が設けられた側を負荷側とし、長手方向において電線挿入孔１０５、１０６の反対側を電源側とし、回路遮断器１を操作する操作ハンドル１０３が設けられた側を前面側とし、回路遮断器を取付固定する取付板に取り付けられる側を底面側とし、左右の電線挿入孔１０５、１０６を結ぶ方向を幅方向として説明を行う。
【００２２】
回路遮断器１の器体内部には、電源側に設けられた電源側端子、負荷側に設けられた負荷側端子１０７、これら端子と接続される主回路導電部１０９、該主回路導電部に介在し主回路導電部に設けられた接点を接触／離反させる接点開閉機構部、主回路導電部１０９に異常電流が流れたときには前記接点開閉機構に作用して回路を切動作させる自動遮断機構、前記主回路導体部が貫装される変流器（ＣＴ）１０８等が設けられ、接点開閉機構は、操作ハンドル１０３によって、器体の外部から手動で入切操作することができる。
【００２３】
また、１０４は、回路遮断器１を取付板に対して取り付け固定するためのロックレバーである。前面側から底面側の方向、又は底面側から前面側の方向に摺動して、底面側から突出した状態で取付板に設けられた係合部と係合し、回路遮断器１を取付板に取り付け固定するものである。
【００２４】
ＣＴ１０８には、該ＣＴに貫装される主回路導体部１０９に流れる電流の大きさに応じて誘導電流が発生するが、この誘導電流をＣＴの出力信号として外部に伝達するために、ＣＴの出力端に接続されたＣＴ出力信号引き出し線１１０が接続される。該ＣＴ出力信号引き出し線１１０は、器体に設けられたＣＴ出力信号引出し線引出部１０２１から器体の外部に引き出される。
【００２５】
器体の外部において、ＣＴ出力信号引き出し線１１０の端部には、外部電線と接続するためのコネクタ１１１が設けられる。
【００２６】
器体の外部に引き出されたＣＴ出力信号引出し線１１０は、前記第二のケース１０２の側壁面に形成されたＣＴ出力信号引出し線収納部１０２１に収納される。該ＣＴ出力信号引出し線収納部１１０２１は前記ＣＴ出力信号引出し線引出部１０２１から連続的に底面側，負荷側に向かって形成され，ＣＴ出力信号引き出し線１１０の引き出し方向を所定の方向にガイドする。
【００２７】
前記ＣＴ出力信号引出し線引出部１０２１は、本実施形態においては、第二のケース１０２に形成されている。該ＣＴ出力信号引出し線引出部１０２１は、第二のケース１０２に、重ね合わせ面側１０２０Ａから側壁面側となる１０２１Ａに達するスリット１０２３を形成することにより構成されている。該スリット１０２３は幅方向において、側壁面側１０２１Ａから重ね合わせ面側１０２０Ａに徐々に広がるようにテーパーをつけて形成されている。これにより、ＣＴ出力信号引出し線１１０をスリット１０２３に誘い込みやすくしている。
【００２８】
第一のケース１０１には、第二のケース１０２と重ね合わせたときに前記スリット１０２３と嵌合する嵌合部１０１１Ａが突条形成されている。該嵌合部１０１１Ａは、前面側−底面側において前記スリット１０２３のテーパー形状と対応する角度をつけて形成されており、幅方向の長さは、ケースを重ね合わせたときに、スリット１０２３の側壁面側からＣＴ出力信号引出し線１１０の太さ分程度隙間が設けられるよう形成されている。そして、ＣＴ出力信号引出し線１１０をスリット１０２３の側壁面側に配置せしめるガイドの役割を果たす。前記テーパー形状に形成されたスリット１０２３の側壁面側１０２１Ａと重ね合わせ面側１０２０Ａにおける前面側−底面側方向の差異（Δｈ）は、ＣＴ出力信号引出し線１１０の太さ分（φ）と同程度かもしくは小さく形成されており（Δｈ≦φ）、ケースを重ね合わせていく場合において、ＣＴ出力信号引出し線１１０が除々にスリットの奥側に導かれ、該ＣＴ出力信号引出し線１１０を挟み込むことなくケースを重ね合わせることができる。
【００２９】
回路遮断器１の組立て時においては、所定の部品を第一のケース１０１上に配置し、第二のケース１０２を重ね合わせていくと、前記嵌合部１０１１Ａが前記スリット１０２３に徐々に嵌まり込んでいく。スリット１０２３部にＣＴ出力信号引出し線１１０を配置しておくと、ケースを重ね合わせることにより、ＣＴ出力信号引出し線１１０が、ガイドとしての嵌合部１０１１Ａによりスリット１０２３の奥側に導かれる。ＣＴ出力信号引出し線１１０は、ケースに挟み込まれることなくスリット１０２３の側壁面側１０２１Ａに配置される。
【００３０】
（第２の実施形態）
第２の実施形態について図５、図６を用いて説明する。本実施形態においては、第１の実施形態では第二のケース１０２に形成される嵌合部１０１１Ａが、回路遮断器を構成する他の部品に形成された形態である。
【００３１】
回路遮断器１は、電源側及び負荷側に夫々２本の電線が接続される２極形の回路遮断器である。各極の主回路導体部間は互いに絶縁される必要があり、回路遮断器１には各極を絶縁するための極間絶縁部材１１２が設けられている。該極間絶縁部材１１２は、第一のケース１０１と第二のケース１０２の間に重ね合わせられて配置され、器体の負荷側における幅方向の外郭の一部を構成するとともに、前記第二のケース１０２のスリット１０２３に嵌合する嵌合部１１２１Ａが形成されている。
【００３２】
嵌合部１１２１Ａの形状は、前記嵌合部１０１１Ａと同形状であり、スリット１０２３のテーパー形状に対応するように形成され、幅方向の長さも、ケースを重ね合わせたときに、嵌合部１１２１Ａとスリット１０２３の側壁面側の間が、ＣＴ出力信号引出し線１１０の太さ分程度の隙間となるよう設けられ、ＣＴ出力信号引出し線１１０をスリット１０２３の側壁面側に配置せしめるガイドの役割を果たす。
【００３３】
このように、一方のケース及び他方のケースの間に重ね合わせられて配置され、前記器体の外郭の一部を構成する部品にガイド部となる嵌合部１１２１Ａを設けたため、回路遮断器を構成する部品の一部を有効活用して嵌合部を形成することができる。
【００３４】
そして、第１の実施形態と同様に、回路遮断器１の組立て時においては、極間絶縁部材１１２を含む所定の部品を第一のケース１０１上に配置し、第二のケース１０２を重ね合わせていくと、前記嵌合部１１２１Ａが前記スリット１０２３に徐々に嵌まり込んでいくから、スリット１０２３部にＣＴ出力信号引出し線１１０を配置しておくと、ケースを重ね合わせることにより、ＣＴ出力信号引出し線１１０がスリット１０２３の奥側に導かれる。ＣＴ出力信号引出し線１１０は、ケースに挟み込まれることなくスリット１０２３の側壁面側１０２１Ａに配置される。
【００３５】
（分電盤）
図７、図８には、回路遮断器１を組み込んだ分電盤２を示している。分電盤２の前面側には、回路遮断器１の操作ハンドル１０３を外部に露出させるパネル２０１１が分電盤カバー２０１に配設される。該パネル２０１１は、回路遮断器１の器体の前面側１１３にほぼ密接して配置される。
【００３６】
パネル２０１１により、前記ＣＴ出力信号引出し線１１０を引き出すＣＴ出力信号引出し線引出部１０２１近傍が覆われるが、前面側へのＣＴ出力信号引出し線１１０の露出がほとんどないため、パネル２０１１と干渉することがない。また、前面側へのＣＴ出力信号引出し線１１０の露出がほとんどないため、分電盤２に配置した場合においても、前面側から見たときに、ＣＴ出力信号引出し線の露出が少なく整然として見栄えがよい。
【００３７】
特許文献３に示された、器体の幅方向中央部からＣＴ出力信号引出し線を引き出す場合と比較すると次のような副次効果が期待できる。図２に示した器体の前方側部分１３０Ａが、ＣＴ出力信号引出し線で隠れなくなるため、この部分（１３０Ａ）に、電線挿入孔１０５、１０６に挿入する電線の被覆剥取量を示す電線ストリップゲージを記載することができる。これにより、回路遮断器に電線を接続するときの作業性を向上させることができる。
【符号の説明】
【００３８】
１  回路遮断器
１０１  第一のケース
１０１１Ａ  嵌合部
１０２  第二のケース
１０２０Ａ  重ね合わせ面
１０２１  ＣＴ出力信号引出し線引出部
１０２１Ａ  側壁面側
１０２２  ＣＴ出力信号引出し線収納部
１０２３  スリット
１０３  操作ハンドル
１０４  ロックレバー
１０５  電線挿入孔
１０６  電線挿入孔
１０７  負荷側端子
１０８  変流器（ＣＴ）
１０９  主回路導体部
１１０  ＣＴ出力信号引出し線
１１１  コネクタ
１１２  極間絶縁部材
１１２１Ａ  嵌合部
２  分電盤
２０１  分電盤カバー
２０１１  パネル
１１３  前面側
【図１】
0005920825.tif 000002
【図２】
0005920825.tif 000003
【図３】
0005920825.tif 000004
【図４】
0005920825.tif 000005
【図５】
0005920825.tif 000006
【図６】
0005920825.tif 000007
【図７】
0005920825.tif 000008
【図８】
0005920825.tif 000009
【図９】
0005920825.tif 000010
【図１０】
0005920825.tif 000011
【図１１】
0005920825.tif 000012